(57)【要約】【課題】ロータリノブとプッシュノブとの間のがたつきおよびゴミの問題を解決し、コストダウンおよび電力消費の問題を解決し、設計自由度の向上および輝度ムラの防止を図ることができるスイッチ装置を提供すること。【解決手段】回動操作によりエンコーダスイッチ７のスイッチ操作を行うロータ２と、ロータ２に軸方向にスライド可能かつ相対回動不可能に支持された操作ノブ３と、操作ノブ３のスライドによりスイッチ操作可能に配置されたプッシュスイッチ６と、操作ノブ３の頂部３４に設けられたＬＥＤ３５と、ケース１に設けられたケース電源回路８とロータ２に設けられたロータＡＣＣ回路部８３およびロータＧＮＤ回路部８４とを接続する接点部８５，８６と、ロータＡＣＣ回路部８３およびロータＧＮＤ回路部８４とノブＡＣＣ回路部３２ａおよび内柱３１とを接続する接点部８７，８８と、を備えたスイッチ装置Ａとした。【選択図】図１
2007194165.tif 000002
【特許請求の範囲】
【請求項１】
ケース内に回動可能に支持され、回動操作により回動スイッチのスイッチ操作が成されるロータと、
このロータの軸中心部に形成された挿通孔に軸方向にスライド可能かつ相対回動不可能に支持され、ケースから突出された操作ノブと、
この操作ノブのスライドによりスイッチ操作可能に前記ケース内に配置されたプッシュスイッチと、
前記操作ノブの頂部に設けられた光源と、
前記ケースに設けられたケース回路部とロータに設けられたロータ回路部とを接続して電源供給を行う第１の接点部と、
前記ロータ回路部と操作ノブに設けられたノブ回路部とを接続して電源供給を行う第２の接点部と、
を備えていることを特徴とするスイッチ装置。
【発明の詳細な説明】
【技術分野】
【０００１】
本発明は、ロータリスイッチとプッシュスイッチとの機能を備えたスイッチ装置に関する。
【背景技術】
【０００２】
従来、限られたスペースを有効に利用できるものとして、ロータリスイッチ用のロータリノブの内側に、オンオフ式のスイッチを操作するプッシュノブを設けたものが知られている（例えば、特許文献１参照）。
【０００３】
この従来のスイッチ装置は、回動可能に取り付けられて回動操作によりスイッチ操作が行われるロータリノブと、このロータリノブの軸中心に形成された挿通孔にスライド可能に取り付けられたプッシュノブと、このプッシュノブをスライド可能に保持するベースと、ベースに設けた光源を、プッシュノブの頂部に導く導光路と、を備えていた。
【０００４】
したがって、ロータリノブを回動させてエンコーダなどにより出力を変動させ、プッシュノブを押すことで、プッシュスイッチのオンオフを切り換えることができる。また、プッシュスイッチのオンオフなどに連動させて、光源の点灯および消灯を切り換えて、プッシュノブの頂部において、発光表示を行うことができる。
【特許文献１】特開２００４−１０３３７６号公報
【発明の開示】
【発明が解決しようとする課題】
【０００５】
しかしながら、上述の従来技術では、回動操作を行うロータリノブと、プッシュ操作を行うプッシュノブと、が別体に形成されているため、両者の間でがたつきが生じたり、両者の間にゴミが貯まったり、このゴミが回路基板側に侵入して接触不良が生じたりするおそれがあり、また、これらを防止するための対策が必要となり、コストアップを招くという問題があった。
【０００６】
また、光源が、プッシュノブの頂部から離れたベースに配置されているため、この光源の光をプッシュノブの頂部まで導く構成（導光路）が必要になり、コストアップを招くおそれがある。また、このように距離が離れたプッシュノブの頂部における輝度を確保するためには、光源における電力消費量が増加する。
【０００７】
さらに、プッシュノブの中央の延長線上にはプッシュスイッチが配置されるため、光源は、プッシュノブの中央以外の位置に配置する必要があるという設計上の制約があり、光源を所望の位置に配置できないおそれがあるとともに、その場合に、輝度ムラなどが生じるおそれがある。
【０００８】
そこで、本発明は、ロータリノブとプッシュノブとの間のがたつきおよびゴミの問題を解決し、しかも、光源とノブ頂部との間の導光用の構成を無くして、コストダウンおよび電力消費の問題を解決し、さらに、光源の配置に関する設計上の制約を無くして、設計自由度の向上および輝度ムラの防止を図ることができるスイッチ装置を提供することを目的としている。
【課題を解決するための手段】
【０００９】
上述の目的を達成するために本発明は、ケース内に回動可能に支持され、回動操作により回動スイッチのスイッチ操作が成されるロータと、このロータの軸中心部に形成された挿通孔に軸方向にスライド可能かつ相対回動不可能に支持され、ケースから突出された操作ノブと、この操作ノブのスライドによりスイッチ操作可能に前記ケース内に配置されたプッシュスイッチと、前記操作ノブの頂部に設けられた光源と、前記ケースに設けられたケース回路部とロータに設けられたロータ回路部とを接続して電源供給を行う第１の接点部と、前記ロータ回路部と操作ノブに設けられたノブ回路部とを接続して電源供給を行う第２の接点部と、を備えていることを特徴とするスイッチ装置とした。
【発明の効果】
【００１０】
本発明のスイッチ装置にあっては、操作ノブを回動操作したときには、この操作ノブと一体的にロータが回動し、回動スイッチのスイッチ操作が行われる。
【００１１】
一方、操作ノブを押し操作したときには、この操作ノブがロータの挿通孔に対して軸方向にスライドしてプッシュスイッチを押して、プッシュスイッチのスイッチ操作が行われる。
【００１２】
また、操作ノブの光源への電源供給は、ケースに設けられたケース回路部から、第１の接点部を介してロータのロータ回路部へ成され、さらに、ロータ回路部から第２の接点部を介して操作ノブの操作ノブ回路部へと成されて光源へ供給される。
【００１３】
このように、本発明は、１つの操作ノブにより回動スイッチとプッシュスイッチとの操作を行うようにしたため、操作する部材としてロータリノブとプッシュノブとを用いた場合のように、２つの操作手段の間でがたつきが生じたり、ゴミ詰まりが生じたりすることを防止することができる。
【００１４】
しかも、光源を表示を行う操作ノブの頂部近傍に配置したため、光源を表示部分から離して配置した場合に必要となる導光用の構成を無くすことができ、これによりコストダウンを図ることができるとともに、導光途中における光の減衰が減ることで、電力消費の削減を図ることができる。さらに、光源を軸中心部にも配置可能となり、設計自由度が向上し、かつ、光源を軸中心から離して軸中心部で表示する場合に生じる輝度ムラの防止を図ることができる。
【発明を実施するための最良の形態】
【００１５】
以下、本発明の実施の形態を図面に基づいて説明する。
【００１６】
この実施の形態のスイッチ装置は、ケース（１）内に回動可能に支持され、回動操作により回動スイッチ（７）のスイッチ操作が成されるロータ（２）と、このロータ（２）の軸中心部に形成された挿通孔（２３）に軸方向にスライド可能かつ相対回動不可能に支持され、ケース（１）から突出された操作ノブ（３）と、この操作ノブ（３）のスライドによりスイッチ操作可能に前記ケース（１）内に配置されたプッシュスイッチ（６）と、前記操作ノブ（３）の頂部（３４）に設けられた光源（３５）と、前記ケース（１）に設けられたケース回路部（８）とロータ（２）に設けられたロータ回路部（８３，８４）とを接続して電源供給を行う第１の接点部（８５，８６）と、前記ロータ回路部（８３，８４）と操作ノブ（３）に設けられたノブ回路部（３１，３２ａ）とを接続して電源供給を行う第２の接点部（８７，８８）と、を備えていることを特徴とするスイッチ装置である。
【実施例１】
【００１７】
以下に、図１〜図４に基づいて、この発明の最良の実施の形態の実施例１のスイッチ装置Ａについて説明する。このスイッチ装置Ａは、車載の空調装置やオーディオ装置などの操作用に適用することができるもので、ロータリスイッチとしての機能と、プッシュスイッチとしての機能を有している。
【００１８】
例えば、空調装置に適用した場合、プッシュスイッチ機能により、エアコンのＯＮ／ＯＦＦを操作し、ロータリスイッチ機能により温度調節を行う。また、オーディオ装置に適用した場合、プッシュスイッチの機能によりオーディオ装置のＯＮ／ＯＦＦ操作を行い、ロータリスイッチ機能により、音量の調整やラジオのチューニングを行うことができる。
【００１９】
このような実施例１のスイッチ装置Ａの構成から説明すると、図１に示すように、このスイッチ装置Ａは、ケース１とロータ２と操作ノブ３と外装ノブ４とを備えている。
【００２０】
ケース１は、樹脂あるいは金属により収容部１１を備えた円筒状に形成された本体部１２と、収容部１１を塞いで本体部１２の図中下端部に取り付けられた円板状の基板部１３と、を備えている。なお、本体部１２は、収容部１１の外周を囲む筒部１２ａと、この筒部１２ａの図中上端に連続して形成され、収容部１１の図中上端を塞ぐ天板部１２ｂと、を備えている。
【００２１】
さらに、本体部１２にあっては、天板部１２ｂの略中央の軸ｃの位置に、収容部１１と外部とを連通させる円形の連通孔１２ｃが形成され、筒部１２ａの図中下端部には、収容部１１を拡径する段差部１２ｄが形成されている。
【００２２】
収容部１１には、軸ｃを中心に回動可能にロータ２が支持されている。このロータ２は、薄板により円形のリング状に形成されたフランジ部２１と、このフランジ部２１の内周に連続されて、図中上方に凸形状に形成されたキャップ部２２と、を備えている。
【００２３】
このキャップ部２２は、フランジ部２１に連続する側壁部２２ａと、この側壁部２２ａの図中上端部に連続する円板状の天板部２２ｂと、を備えている。さらに、天板部２２ｂの軸心位置に、連通孔１２ｃと略同軸に挿通孔２３が貫通して形成されている。
【００２４】
そして、フランジ部２１が、ケース１の段差部１２ｄに挿入されることで、ロータ２がケース１に軸ｃを中心に回動可能に支持され、かつ、軸方向（軸ｃの延在方向）への移動が制限されている。
【００２５】
さらに、ロータ２のフランジ部２１の図中上側の上端面２１ａと、この上端面２１ａに対向する段差部１２ｄの対向面１２ｅと、の間にクリック機構２４が設けられている。このクリック機構２４は、ロータ２を回動させたときにクリック間を与えるもので、フランジ部２１の上端面２１ａの全周に亘って一定間隔で設けられた上方に凸状のクリック爪２４ａと、段差部１２ｄの対向面１２ｅに１箇所に設けられ、かつ、下方に凸状に形成されてクリック爪２４ａと当接したときに回動抵抗を増加させてクリック感を与える凸部２４ｂと、で構成されている。
【００２６】
また、ロータ２の挿通孔２３は、図中上側の大径部２３ａと図中下側の小径部２３ｂとで異なる内径に形成されている。
【００２７】
このロータ２の挿通孔２３に、略円柱状の操作ノブ３が、軸方向（軸ｃの延在方向）にスライド可能かつ相対回動不可能に支持されている。
【００２８】
この操作ノブ３は、円柱状の内柱３１と、この内柱３１の図中上端分において内柱３１の外側に装着された円筒状の外筒３２と、を備えている。内柱３１は、ノブ回路部の一部として導電性を有した金属により形成されている。
【００２９】
外筒３２は、図１において一点鎖線で示すII部を拡大した図２に示すように、ノブＡＣＣ回路部（ノブ回路部）３２ａを挟んで内側絶縁材３２ｂと外側絶縁材３２ｃとが内外に設けられた三層構造に形成されている。すなわち、ノブＡＣＣ回路部３２ａは、通電性を有した金属により円筒状に形成されている。また、内側絶縁材３２ｂは、ノブＡＣＣ回路部３２ａと内柱３１との間に介在された円筒形状に形成されて、両者を絶縁する。また、外側絶縁材３２ｃは、ノブＡＣＣ回路部３２ａの外側に装着された円筒形状を成し、ノブＡＣＣ回路部３２ａと外部とを絶縁する。なお、図示のように、内側絶縁材３２ｂは、ノブＡＣＣ回路部３２ａの下端面を覆うまで延在されているのに対し、外側絶縁材３２ｃは、ノブＡＣＣ回路部３２ａの途中まで延在され、ノブＡＣＣ回路部３２ａの図中下端部は露出している。
【００３０】
さらに、図３に示すように、操作ノブ３とロータ２の挿通孔２３との間には、スライドガイド５が設けられている。このスライドガイド５は、挿通孔２３の内周の２箇所に外径方向に凹んで形成された一対のスライドガイド溝５１，５１と、操作ノブ３の外筒３２の部分で外径方向に突出し、スライドガイド溝５１，５１に軸方向にスライド可能に挿入された一対のスライダ５２，５２とで構成されている。なお、図３は、ロータ２および操作ノブ３を図１において下方から見上げた状態を示している。
【００３１】
したがって、操作ノブ３を、軸ｃを中心に回動させた場合には、スライダ５２，５２がスライドガイド溝５１，５１と係合しているため、ロータ２と一体的に回動する。一方、操作ノブ３をロータ２に対して軸ｃに沿う方向にスライドさせた場合には、スライダ５２，５２がスライドガイド溝５１，５１に沿って相対スライドし、操作ノブ３がロータ２に対して軸方向へスライドする。
【００３２】
図１に戻り、ケース１の基板部１３には、操作ノブ３と同軸にプッシュスイッチ６が設けられている。すなわち、操作ノブ３がロータ２に対して図中下方にスライドした際には、内柱３１の下面がプッシュスイッチ６を押して、プッシュスイッチ６のＯＮ／ＯＦＦが切り換えられる。
【００３３】
操作ノブ３の図中上端部には、外装ノブ４が装着されている。この外装ノブ４は、操作ノブ３に固定された有底円筒状のベース部４１と、このベース部４１の外周に装着されるツマミ部４２とを備えている。また、このツマミ部４２は、ベース部４１の外周に装着される円筒状の嵌合筒部４２ａと、その外周を覆う円錐面を有した把持部４２ｂと、嵌合筒部４２ａおよび把持部４２ｂに連続したカバー部４２ｃと、を備えている。
【００３４】
操作ノブ３の図中上端の頂部３４には、その軸心位置に、光源としての発光ダイオード（以下、ＬＥＤと称する）３５が設けられている。また、カバー部４２ｃには、ＬＥＤ３５が点灯した際に、光を透過して表示を行う表示絵（図示省略）が設けられている。この表示絵としては、例えば、空調装置のエアコンスイッチの操作用に用いた場合、Ａ／Ｃの文字を表示し、オーディオ装置のＯＮ／ＯＦＦスイッチとして用いた場合、ＯＮの文字を表示する。
【００３５】
ケース１の基板部１３とロータ２との間には、回動スイッチとしてのエンコーダスイッチ７が設けられている。このエンコーダスイッチ７は、ロータ２のフランジ部２１の下端面に設けられた回動接点７１と、基板部１３に設けられて回動接点７１に断接するケース側接点７２，７３とを備えている。
【００３６】
回動接点７１は、図３に示すように、径方向で凹凸を有し、ロータ２が回動するのに伴い、ケース側接点７２，７３に断接することにより、回動角度に応じたパルスの信号が出力される。なお、ケース側接点７２，７３は、それぞれ図示を省略した基板に実装する際の接続用の実装ピン７２ｐ，７３ｐが一体に形成されている。
【００３７】
さらに、ケース１の基板部１３には、ＬＥＤ３５へ電源供給を行うケース電源回路８およびプッシュスイッチ６の信号を出力する出力回路６１が設けられている。
【００３８】
ケース電源回路８は、電源供給用の外部電源側に接続されるケースＡＣＣ回路部８１と車体アースに接続されるケースＧＮＤ回路部８２とを備えている。これらケースＡＣＣ回路部８１とケースＧＮＤ回路部８２と出力回路６１とは、それぞれ、実装ピン７２ｐ，７３ｐと同様の図外の基板に接続する実装ピンが一体に形成されているが図示は省略する。
【００３９】
ケースＡＣＣ回路部８１およびケースＧＮＤ回路部８２と、ロータ２の下端面に露出されたロータＡＣＣ回路部８３およびロータＧＮＤ回路部８４との間には、ロータ２を回動させても常に接触状態が保たれる第１の接点部としての接点部８５，８６が形成されている。
【００４０】
ロータＡＣＣ回路部８３は、金属板により形成され、図４に示すように、円環状のＡＣＣリング部８３ａと、このＡＣＣリング部８３ａから立ち上げられた断面鈎状のＡＣＣ腕部８３ｂと、このＡＣＣ腕部８３ｂの先端に設けられたＡＣＣ接触片８３ｃと、を備えている。
【００４１】
同様に、ロータＧＮＤ回路部８４も、金属板により形成され、ＡＣＣリング部８３ａの内側に離間して同軸に配置されたＧＮＤリング部８４ａと、このＧＮＤリング部８４ａから立ち上げられ、ＡＣＣ腕部８３ｂと対向したＧＮＤ腕部８４ｂと、このＧＮＤ腕部８４ｂの先端に設けられ、ＡＣＣ接触片８３ｃよりも低い位置に配置されたＧＮＤ接触片８４ｃと、を備えている。
【００４２】
両リング部８３ａ，８４ａは、図３に示すように、ロータ２のフランジ部２１の下端面に沿って設けられている。また、両腕部８３ｂ，８４ｂは、図１に示すように、ロータ２のキャップ部２２の内部に配索されている。
【００４３】
そして、図２に示すように、ＡＣＣ接触片８３ｃが、挿通孔２３の大径部２３ａから軸心方向へ突出され、かつ、操作ノブ３の外筒３２のノブＡＣＣ回路部３２ａに対して、金属片による弾性力で接触方向に付勢された状態で接触され、第２の接点部としての接点部８７が形成されている。一方、ＧＮＤ接触片８４ｃが、挿通孔２３の小径部２３ｂから軸心方向へ突出され、かつ、操作ノブ３の内柱３１に対して、金属片による弾性力で接触方向に付勢された状態で接触され、第２の接点部としての接点部８８が形成されている。
【００４４】
なお、接点部８７を形成するノブＡＣＣ回路部３２ａは、スライダ５２の表面に形成され、かつ、ＡＣＣ接触片８３ｃは、スライドガイド溝５１内に配置されている。
【００４５】
また、内柱３１も、図３に示すように、スライダ５５と径方向に重なる位置に、軸方向に沿って凸条３１ａが形成されており、この凸条３１ａにＧＮＤ接触片８４ｃが当接されて接点部８８が形成されている。
【００４６】
さらに、ノブＡＣＣ回路部３２ａおよび内柱３１がＬＥＤに接続されている。すなわち、ＬＥＤ３５は、ケースＡＣＣ回路部８１→接点部８５→ロータＡＣＣ回路部８３→接点部８７→ノブＡＣＣ回路部３２ａの経路で電源回路に接続され、かつ、内柱３１→接点部８８→ロータＧＮＤ回路部８４→接点部８６→ケースＧＮＤ回路部８２の経路で車体アースに接続されることで、電源供給が成される。
【００４７】
次に、実施例１の作用を説明する。
【００４８】
エンコーダスイッチ７のスイッチ操作を行う場合には、外装ノブ４のツマミ部４２を軸ｃを中心に回動させる。このツマミ部４２の回動で、外装ノブ４全体が回動し、この外装ノブ４が固定された操作ノブ３も軸ｃを中心に回動する。この操作ノブ３は、スライドガイド５において、ロータ２と径方向に係合しているため、操作ノブ３の回動に伴い、ロータ２が一体的に回動する。
【００４９】
したがって、ロータ２の下面に設けられたエンコーダスイッチ７の回動接点７１が回動し、エンコーダスイッチ７からロータ２の回動量に応じたパルスが出力される。このように、外装ノブ４を回動させることで、エンコーダスイッチ７のスイッチ操作を行うことができる。
【００５０】
一方、プッシュスイッチ６のスイッチ操作を行う場合には、外装ノブ４のツマミ部４２を軸ｃに沿う方向へ押圧する。これにより、操作ノブ３が軸方向へ押圧されてスライドガイド５によるスライドガイドによりロータ２に対して軸ｃに沿う方向へスライドし、操作ノブ３の下端面がプッシュスイッチ６を押圧する。
【００５１】
したがって、プッシュスイッチ６のＯＮ／ＯＦＦを切り換えるスイッチ操作が成される。
【００５２】
また、操作ノブ３の頂部３４に設けたＬＥＤ３５は、図外の車載電源から電源供給される状態では、常に、電源供給が成されて発光し、外装ノブ４のカバー部４２ｃに設けられた表示部分が点灯表示される。なお、車載電源から電源供給される状態とは、例えば、図外のＡＣＣスイッチなどにより車両において電源供給が可能となった場合や、それ以外にも、例えば、プッシュスイッチ６がＯＮに切り換えられた場合に、これに応じて、空調装置やオーディオ装置の図外のメインのコントローラの出力部においてＬＥＤ３５を発光させる状態に切り換わった場合などがある。
【００５３】
上述のような電源供給は、上述したように、ケースＡＣＣ回路部８１→接点部８５→ロータＡＣＣ回路部８３→接点部８７→ノブＡＣＣ回路部３２ａの経路で電源回路に接続され、かつ、内柱３１→接点部８８→ロータＧＮＤ回路部８４→接点部８６→ケースＧＮＤ回路部８２の経路で車体アースに接続されることで成される。
【００５４】
この接続経路において、ロータ２と基板部１３との間に設けられた接点部８５，８６は、ロータ２が回動しても常時接続していて、ロータ２の回動で電源供給可能な状態が途絶えることはない。
【００５５】
また、ロータ２と操作ノブ３との間に設けられた接点部８７，８８は、内柱３１およびノブＡＣＣ回路部３２ａは、操作ノブ３のスライドストロークの範囲で常時ＧＮＤ接触片８４ｃおよびＡＣＣ接触片８３ｃと接触している。このため、プッシュスイッチ６の操作時に操作ノブ３をスライドさせても電源供給が可能な状態が途絶えることがない。
【００５６】
以上説明したように、本実施例１では、１つの操作ノブ３と一体に設けた外装ノブ４によりプッシュスイッチ６とエンコーダスイッチ７とのスイッチ操作を行うことができる。このため、２つの操作ノブによりプッシュスイッチ６とエンコーダスイッチ７とをそれぞれ操作する構成のように、２つの操作ノブの間でがたつきが生じたり、ゴミ詰まりが生じたりすることを防止することができる。
【００５７】
しかも、外装ノブ４のカバー部４２ｃにおいて発光表示を行うＬＥＤ３５を、この発光表示部部分に近い操作ノブ３の頂部３４に配置したため、ＬＥＤ３５を発光表示部分から離して配置した場合に必要となる導光用の構成を無くすことができる。したがって、コストダウンを図ることができるとともに、導光途中における光の減衰が減ることで、電力消費の削減を図ることができる。さらに、ＬＥＤ３５を軸中心部にも配置可能で、ＬＥＤ３５の配置に関する制約が無く、設計自由度が向上する。またこれにより、上記制約により発光表示部分とＬＥＤ３５とを同軸に配置できない場合のように、輝度ムラが発生したり、これを防止する構成を追加したりすることも無くなり、安価に表示性能の向上を図ることができる。
【００５８】
また、実施例１では、接点部８７，８８において、ＡＣＣ接触片８３ｃおよびＧＮＤ接触片８４ｃをばね片状に形成し、所定の弾性力を有して接触が得られるようにしたため、操作ノブ３がスライドしても安定して接触が得られる。
【実施例２】
【００５９】
次に、図５に基づいてこの発明の実施の形態の実施例２のスイッチ装置Ｂについて説明する。なお、前記実施例１と同一ないし均等な部分については、同一符号を付して説明を省略し、実施例１と相違する部分を中心として説明する。
【００６０】
本実施例２では、プッシュスイッチ２０６は、図示を省略した作動部材が図中下方へ押し込まれたＯＮ状態で、図示を省略したラッチによりその位置に留まり、再度押されたときにラッチが解放されて図中移動するロックタイプのプッシュスイッチである。そして、この図示を省略した作動部材と操作ノブ３とが連結されている。
【００６１】
また、操作ノブ３の内柱３１において、プッシュスイッチ２０６のスイッチ操作を行わないときにＧＮＤ接触片８４ｃが接触する部位に、絶縁体２０１を設けている。また、この絶縁体２０１の大きさは、プッシュスイッチ２０６のスイッチ操作を行って操作ノブ３が図中下方にスライドしたときには、ＧＮＤ接触片８４ｃが内柱３１の一般部、すなわち、絶縁体２０１以外の導電性を有した部分、に接触する大きさに形成されている。
【００６２】
そして、この実施例２のスイッチ装置Ｂでは、このスイッチ装置Ｂを適用した空調装置やオーディオ装置などの作動状態では、ケース電源回路８は、常時、通電可能な状態としておく。
【００６３】
したがって、プッシュスイッチ２０６の非スイッチ操作時（ＯＦＦ時）には、ＧＮＤ接触片８４ｃが操作ノブ３の内柱３１の絶縁体２０１に接触しているため、ＬＥＤ３５への通電は成されず、ＬＥＤ３５の発光は行われない。
【００６４】
一方、プッシュスイッチ２０６のスイッチ操作を行って操作ノブ３が図中下方へ押し込まれた際には、ＧＮＤ接触片８４ｃの接触位置が絶縁体２０１から内柱３１の一般部へ変わり、ＬＥＤ３５が発光する。また、プッシュスイッチ２０６は、このＯＮ状態に保持され、操作ノブ３もこの押し込まれた位置に留まるため、ＬＥＤ３５の発光状態が維持される。
【００６５】
また、プッシュスイッチ２０６のスイッチ操作を行って、再び操作ノブ３を図中下方へ押し込むと、プッシュスイッチ２０６は、ＯＦＦに切り換わり、操作ノブ３が図中上方へ移動する。これにより、ＧＮＤ接触片８４ｃは絶縁体２０１と接触し、ＬＥＤ３５への通電が停止される。
【００６６】
このように、実施例２のスイッチ装置Ｂでは、スイッチ装置Ｂ、それ自体に、プッシュスイッチ２０６の操作状態に応じてＬＥＤ３５を点灯・消灯させるスイッチ機能を持たせることができ、外部のコントローラからの制御を無くして、構成の簡略化を図ることができる。
【００６７】
他の構成および作用効果は実施例１と同様であるので、説明を省略する。
【００６８】
以上、図面を参照して、本発明の実施の形態および実施例１を詳述してきたが、具体的な構成は、この実施の形態および実施例１に限らず、本発明の要旨を逸脱しない程度の設計的変更は、本発明に含まれる。
【００６９】
例えば、実施例１，２では、光源としてＬＥＤ３５を示したが、これに限定されるものではなく、電球など他の手段を用いてもよい。
【００７０】
また、接点部８７，８８は、操作ノブ３のスライドで接続状態が得られる構造であれば、実施例で示した構造に限定されない。
【００７１】
また、実施例２では、第２の接点部としての接点部８８が、操作ノブ３を押し込んだときにＬＥＤ３５が点灯するようにした例を示したが、これに限定されず、これとは逆に、操作ノブ３を押し込んだときに消灯するようにしてもよい。この場合、実施例２で示した絶縁体２０１の位置を図示の位置よりも図において上方にずらし、操作ノブ３が通常の位置で接点部８８が接続状態となり、一方、操作ノブ３を押し込んだときに接点部８８が非接続状態となるようにする。
【００７２】
また、実施例２では、接点部８８に光源（ＬＥＤ３５）のスイッチ機能を持たせたが、これに限定されず、他の接点部８５，８６，８７にスイッチ機能を持たせるようにしてもよい。なお、接点部８５，８６のいずれかにスイッチ機能を持たせた場合、ロータ２を所定の位置に配置したときに、接点部８５，８６の一方が非接続状態となって光源が消灯され、その位置からロータ２を回動させると、接点部８５，８６が接続状態となって光源が消灯される。
【００７３】
また、実施例１，２では、回動スイッチとしてロータ２の回動によりパルスが出力されるエンコーダスイッチ７を示したが、ロータ２の回動でスイッチ操作が成されるスイッチであれば、これに限定されるものではない。例えば、ロータ２を回動させることにより、ＯＮ／ＯＦＦが切り換わるスイッチや、出力量が変化するスイッチや、段階的に切り換わるスイッチなどを用いることもできる。
【図面の簡単な説明】
【００７４】
【図１】本発明の最良の実施の形態の実施例１のスイッチ装置Ａを示す断面図である。
【図２】本発明の実施の形態の実施例１のスイッチ装置Ａの要部の拡大断面図であり、図１において一点鎖線IIで囲んだ部分を示している。
【図３】本発明の実施の形態の実施例１のスイッチ装置Ａのロータ２を、図１の下方から見上げた状態を示す底面図である。
【図４】本発明の実施の形態の実施例１のスイッチ装置Ａの要部を示す斜視図である。
【図５】本発明の実施の形態の実施例２のスイッチ装置Ｂを示す断面図である。
【符号の説明】
【００７５】
１     ケース
２     ロータ
３     操作ノブ
４     外装ノブ
５     スライドガイド
６     プッシュスイッチ
７     エンコーダスイッチ（回動スイッチ）
８     ケース電源回路（ケース回路部）
３１   内柱（ノブ回路部）
３２ａ ノブＡＣＣ回路部（ノブ回路部）
３４   頂部
３５    発光ダイオード（光源）
８１   ケースＡＣＣ回路部（ケース回路部）
８２   ケースＧＮＤ回路部（ケース回路部）
８３   ロータＡＣＣ回路部（ロータ回路部）
８４   ロータＧＮＤ回路部（ロータ回路部）
８５   接点部（第１の接点部）
８６   接点部（第１の接点部）
８７   接点部（第２の接点部）
８８   接点部（第２の接点部）
２０６  プッシュスイッチ
【図１】
2007194165.tif 000003
【図２】
2007194165.tif 000004
【図３】
2007194165.tif 000005
【図４】
2007194165.tif 000006
【図５】
2007194165.tif 000007